(57)【特許請求の範囲】
【請求項１】
リスナの頭部に対する所定位置に装着された内部に空間を有する筐体部と、
上記筐体部の一面に取り付けられ、上記筐体部が上記リスナの頭部に装着された際、上記リスナの外耳道入口との間に所定の距離が設けられるスピーカユニットと、
上記リスナの外耳道入口へ向けて延長されると共に上記筐体部へ再度戻る略Ｕ字状に形成され、上記リスナの上記外耳道入口に近い位置に放音用の孔部が設けられ、上記筐体部の内側に生じた音を上記スピーカユニットよりも上記外耳道入口に近い位置から放音させる管状ダクトと
を具える電気音響変換器。
【請求項２】
上記管状ダクトは、
バスレフ型スピーカのダクトとして作用する
請求項１に記載の電気音響変換器。
【請求項３】
上記管状ダクトは、
上記孔部が上記外耳道入口と異なる方向に向けられている
請求項１に記載の電気音響変換器。
【請求項４】
上記筐体部は、
上記リスナの頭部に装着された際、上記スピーカユニットの放音面をおおよそ上記リスナの外耳道入口の方向へ向けさせる
請求項１に記載の電気音響変換器。
【請求項５】
リスナの頭部に対する所定位置に装着された内部に空間を有する筐体部と、上記筐体部の一面に取り付けられ、上記筐体部が上記リスナの頭部に装着された際、上記リスナの外耳道入口との間に所定の距離が設けられるスピーカユニットと、上記リスナの外耳道入口へ向けて延長されると共に上記筐体部へ再度戻る略Ｕ字状に形成され、上記リスナの上記外耳道入口に近い位置に放音用の孔部が設けられ、上記筐体部の内側に生じた音を上記スピーカユニットよりも上記外耳道入口に近い位置から放音させる管状ダクトとを有する電気音響変換器と、
上記スピーカユニットと上記リスナの外耳道入口との間に上記所定距離が設けられるよう上記電気音響変換器を上記リスナの頭部に装着させる装着部と
を具えるイヤースピーカ装置。
【請求項６】
上記管状ダクトは、
バスレフ型スピーカのダクトとして作用する
請求項５に記載のイヤースピーカ装置。
【請求項７】
上記管状ダクトは、
上記孔部が上記外耳道入口と異なる方向に向けられている
請求項５に記載のイヤースピーカ装置。
【請求項８】
上記筐体部は、
上記リスナの頭部に装着された際、上記スピーカユニットの放音面をおおよそ上記リスナの外耳道入口の方向へ向けさせる
請求項５に記載のイヤースピーカ装置。
【請求項９】
上記装着部は、
上記電気音響変換器を上記リスナの頭部に装着させる際、上記スピーカユニットを上記リスナの外耳道入口よりも前方に位置させると共に、上記リスナの外耳道入口よりも後方に位置させるための所定の後方用スピーカユニットが取り付けられた後方用筐体部を具える
請求項５に記載のイヤースピーカ装置。
【請求項１０】
上記装着部は、
上記筐体部に加え、上記リスナの頭部に振動を加えるための当該装着部に装着された所定の加振器を具える
請求項５に記載のイヤースピーカ装置。
【発明の詳細な説明】
【技術分野】
【０００１】
本発明は電気音響変換器及びイヤースピーカ装置に関し、例えば頭部装着型のウェアラブルスピーカ装置に適用して好適なものである。
【背景技術】
【０００２】
従来、頭部装着型のウェアラブルスピーカ装置の一例であるヘッドホン装置においては、リスナの頭部に装着された状態でＣＤ（Compact Disc）の再生音声等を表す電気信号を音（以下、これを再生音と呼ぶ）に変換し、当該リスナに聴取させるようになされたものが広く普及している。
【０００３】
一般的なヘッドホン装置では、音を発生させるスピーカユニットがリスナの外耳道入口の正面付近に位置するようになされており、当該スピーカユニットから鼓膜に対して直接的に音を到達させ音質を向上し得るものの、音像をリスナの頭内に定位させることになり当該リスナに不自然な印象を与えてしまっていた。
【０００４】
このためヘッドホン装置の中には、スピーカユニットを外耳道入口（耳孔）からやや離隔させ前頭部側に位置させることにより、一般的な据置型のスピーカを用いた場合のように音像を頭外に定位させ不自然感を払拭させると共に、リスナの耳の周囲に密閉空間を形成する密閉型とすることにより充分な低音を聴取させ得るよう図られたものが考案されている（例えば、特許文献１参照）。
【特許文献１】特許第３０５４２９５号公報（第３頁、第１図）
【発明の開示】
【発明が解決しようとする課題】
【０００５】
ところで、かかる構成のヘッドホン装置に対して、充分な低音を含む良好な音質を維持しながら開放型とすることによりリスナに開放感を与えたいという要望があるものの、スピーカユニットが耳孔から離隔されているため、単純に密閉型を開放型としただけでは低音域が不足し音質を悪化させてしまい、かかる要望に応じ得ないという問題があった。
【０００６】
本発明は以上の点を考慮してなされたもので、自然な音像定位を与え充分な低音を含む高品質な再生音をリスナに聴取させ得る電気音響変換器及びイヤースピーカ装置を提案しようとするものである。
【課題を解決するための手段】
【０００７】
かかる課題を解決するため本発明の電気音響変換器においては、リスナの頭部に対する所定位置に装着された内部に空間を有する筐体部と、筐体部の一面に取り付けられ、筐体部がリスナの頭部に装着された際、リスナの外耳道入口との間に所定の距離が設けられるスピーカユニットと、リスナの外耳道入口へ向けて延長されると共に筐体部へ再度戻る略Ｕ字状に形成され、リスナの外耳道入口に近い位置に放音用の孔部が設けられ、筐体部の内側に生じた音をスピーカユニットよりも外耳道入口に近い位置から放音させる管状ダクトとを設けるようにした。
【０００８】
これにより、外耳道入口との間に所定の距離が設けられたスピーカユニットから放射する中高音を外耳道内へ到達させ得ると共に、２本分のダクトに相当する略Ｕ字状の管状ダクトを介してリスナの外耳道入口に近い位置から放射する低音も十分に且つ効率良く外耳道内へ到達させることができ、またリスナの外耳道入口に当接させたときに傷つけることなく放音用の孔部の位置を安定させることができるので、音像をリスナの頭外に定位させ得る中高音と音圧レベルが高められた低音とを合わせて当該リスナに聴取させることができる。
【０００９】
また本発明のイヤースピーカ装置においては、リスナの頭部に対する所定位置に装着された内部に空間を有する筐体部と、筐体部の一面に取り付けられ、筐体部がリスナの頭部に装着された際、リスナの外耳道入口との間に所定の距離が設けられるスピーカユニットと、リスナの外耳道入口へ向けて延長されると共に筐体部へ再度戻る略Ｕ字状に形成され、リスナの外耳道入口に近い位置に放音用の孔部が設けられ、筐体部の内側に生じた音をスピーカユニットよりも外耳道入口に近い位置から放音させる管状ダクトとを有する電気音響変換器と、スピーカユニットとリスナの外耳道入口との間に所定距離が設けられるよう電気音響変換器をリスナの頭部に装着させる装着部とを設けるようにした。
【００１０】
これにより、外耳道入口との間に所定の距離が設けられたスピーカユニットから放射する中高音を外耳道内へ到達させ得ると共に、２本分のダクトに相当する略Ｕ字状の管状ダクトを介してリスナの外耳道入口に近い位置から放射する低音も十分に且つ効率良く外耳道内へ到達させることができ、またリスナの外耳道入口に当接させたときに傷つけることなく放音用の孔部の位置を安定させることができるので、音像をリスナの頭外に定位させ得る中高音と音圧レベルが高められた低音とを合わせて当該リスナに聴取させることができる。
【発明の効果】
【００１１】
本発明によれば、外耳道入口との間に所定の距離が設けられたスピーカユニットから放射する中高音を外耳道内へ到達させ得ると共に、２本分のダクトに相当する略Ｕ字状の管状ダクトを介してリスナの外耳道入口に近い位置から放射する低音も十分に且つ効率良く外耳道内へ到達させることができ、またリスナの外耳道入口に当接させたときに傷つけることなく放音用の孔部の位置を安定させることができるので、音像をリスナの頭外に定位させ得る中高音と音圧レベルが高められた低音とを合わせて当該リスナに聴取させることができる。かくして本発明は、自然な音像定位を与え充分な低音を含む高品質な再生音をリスナに聴取させ得る電気音響変換器及びイヤースピーカ装置を実現できる。
【発明を実施するための最良の形態】
【００１２】
以下、図面について、本発明の一実施の形態を詳述する。
【００１３】
（１）第１の実施の形態によるイヤースピーカ装置の構成
図１、図２及び図３において、イヤースピーカ装置１は、全体としてポータブルＣＤ（Compact Disc）プレーヤやＤＭＰ（Digital Music Player）の再生処理等により生成された電気信号を音に変換しリスナに聴取させるようになされている。
【００１４】
イヤースピーカ装置１は、一般的な箱形のスピーカ装置とは異なり、ヘッドホン装置と同様にリスナの頭部に装着されることを前提としており、大きく分けて電気信号を音（以下、これを再生音と呼ぶ）に変換する電気音響変換部２Ｌ及び２Ｒと、当該電気音響変換部２Ｌ及び２Ｒをリスナの頭部に装着して固定させるためのバンド部３とにより構成されている。
【００１５】
電気音響変換部２Ｌ及び２Ｒは、球体が垂直方向に４等分されたような形状でなる筐体部４Ｌ及び４Ｒを中心に構成されている。筐体部４Ｌ及び４Ｒは、それぞれ後面側及び左右内側に平面部分が形成されており、左右内側にはリスナの頭部に対する側圧を和らげるためのパッド部５Ｌ及び５Ｒが取り付けられている。
【００１６】
筐体部４Ｌ及び４Ｒの後面側における平面部分であるバッフル板４ＡＬ及び４ＡＲには、電気信号を音に変換するスピーカユニット７Ｌ及び７Ｒが取り付けられている。このスピーカユニット７Ｌ及び７Ｒは、ポータブルＣＤプレーヤやＤＭＰ等から接続ケーブル６を介して供給される電気信号に応じて、振動板を振動させることにより放音するようになされている。
【００１７】
また筐体部４Ｌ及び４Ｒのバッフル板４ＡＬ及び４ＡＲには、所定太さを有する中空の部材が側面略Ｕ字状に曲げられた管状ダクト８Ｌ及び８Ｒが取り付けられている。この管状ダクト８Ｌ及び８Ｒは、図１に示したように、後端側がそれぞれ左右内側方向に曲げられており、さらに後側先端部のほぼ中央にそれぞれ孔部８ＡＬ及び８ＡＲが設けられている。
【００１８】
バンド部３は、中央部３Ａを中心に一般的な人間の頭部の形状に合わせて上に凸の略アーチ型に形成されていると共に、当該中央部３Ａに対して伸縮自在に摺動し得るアジャスト部３ＢＬ及び３ＢＲによりバンド部３全体の長さを調整し得るようになされている。
【００１９】
またバンド部３は、一般的な人間の頭部の形状よりも小さい径のアーチ型に形成されると共に弾性力を有しており、リスナに装着される際に筐体部４Ｌ及び４Ｒを左右に広げながら装着されると、装着後に当該弾性力の作用によって元の形状に戻ろうとするため、筐体部４Ｌ及び４Ｒを当該リスナの頭部に対して当接させた状態で保持することができる。
【００２０】
なお、イヤースピーカ装置１は、図１〜図３に示したようにほぼ左右対称に構成されているため、以下では主に左側の電気音響変換部２Ｌを例に説明する。
【００２１】
実際上、イヤースピーカ装置１は、図４に左側面図を示すように、バンド部３における長さが調整された上でリスナの頭部１００に装着されることにより、アジャスト部３ＢＬ及び３ＢＲの下端側に取り付けられた電気音響変換部２Ｌをリスナの頭部における耳介１０１Ｌよりもやや前方に位置させるようになされている。
【００２２】
これによりイヤースピーカ装置１の電気音響変換部２Ｌは、スピーカユニット７Ｌから放射された中高音を直接リスナの外耳道内部へ到達させると共に、当該リスナの頬や耳介１０１Ｌ等で反射された反射音も外耳道内部へ到達させることができるため、一般的な据置型スピーカを介して聴取した場合と同様の、自然な音像定位を与えることができる。
【００２３】
このときイヤースピーカ装置１は、リスナに正常に装着された際、スピーカユニット７Ｌが耳介１０１Ｌ及び外耳道入口１０２Ｌのやや前方に位置し、管状ダクト８Ｌの孔部８ＡＬが外耳道入口１０２Ｌの近傍に位置するようになされている。
【００２４】
因みに管状ダクト８Ｌは、側面略Ｕ字状に形成されているため、リスナの外耳道内へ入り込まないようになされている。これによりイヤースピーカ装置１は、当該リスナが装着時等に誤って管状ダクト８Ｌにより当該外耳道内を傷つけてしまうことを未然に防止し得るようになされている。
【００２５】
ここで図４におけるＱ１−Ｑ２断面図を図５に示すように、筐体部４Ｌはスピーカユニット７Ｌが取り付けられた状態で管状ダクト８Ｌを除き密閉された空間を形成しており、スピーカユニット７Ｌに対して筐体部４Ｌ及び当該管状ダクト８Ｌにより共振回路を形成するようになされている。
【００２６】
また管状ダクト８Ｌは、筐体部４Ｌの内部から筐体部４Ｌのバッフル板４ＡＬを貫通してリスナの外耳道入口１０２Ｌの近傍に到達している。実際上、電気音響変換部２Ｌは、管状ダクト８Ｌをバスレフダクトとして作用させることにより、全体としてバスレフ型のスピーカとして動作するようになされている。
【００２７】
ところで、一般的なバスレフ型スピーカでは、ダクトが筐体の内部のみに設けられ、外部へは延長されないようになされている。そこで、電気音響変換部２Ｌとの比較用に、図５と対応する図６に示すような電気音響変換部１２Ｌを想定する。この電気音響変換部１２Ｌは、一般的なバスレフ型スピーカと同様に構成されており、筐体部４の内側のみに電気音響変換部２Ｌにおける管状ダクト８Ｌに代えて２本の管状ダクト１８Ｌ及び１９Ｌを有している。
【００２８】
この電気音響変換部１２Ｌの場合、スピーカユニット７Ｌの位置を仮想的な音源の位置（以下、これを仮想音源位置と呼ぶ）ＰＭと見なしたときの、当該スピーカユニット７Ｌから放射された中高音がリスナの鼓膜１０３Ｌに到達するまでの経路長ＥＭと、孔部１８ＡＬ及び１９ＡＬを仮想音源位置ＰＬ２と見なしたときの、管状ダクト１８Ｌ内及び１９Ｌ内を伝わり当該孔部１８ＡＬ及び１９ＡＬから放射された低音がリスナの鼓膜１０３Ｌに到達するまでの経路長ＥＬ２とを比較すると、経路長ＥＭ≒経路長ＥＬ２となっている。
【００２９】
ここで、電気音響変換部１２Ｌにより鼓膜１０３Ｌに到達する音の周波数特性を図７に示す。この図７に示すように、一般的なバスレフ型の電気音響変換部１２Ｌは、スピーカユニット７Ｌから放射される、特性曲線ＳＭに示すような周波数特性でなる中高音と、管状ダクト１８Ｌ内及び１９Ｌ内を伝わり孔部１８ＡＬ及び１９ＡＬから放射される、特性曲線ＳＬ２に示すような周波数特性でなる低音とを合わせてリスナの鼓膜１０３Ｌまで到達させることになる。
【００３０】
これにより電気音響変換部１２Ｌは、特性曲線ＳＭ及び特性曲線ＳＬ２が合成された特性曲線ＳＧ２に示すように、特性曲線ＳＭにおける低音域の音圧レベルがある程度上昇された再生音をリスナに聴取させることができる。
【００３１】
一方、本発明による電気音響変換部２Ｌ（図５）では、スピーカユニット７Ｌを仮想音源位置ＰＭとみなしたときの、当該スピーカユニット７Ｌから放射された中高音がリスナの鼓膜１０３Ｌに到達するまでの経路長ＥＭと、孔部８ＡＬを仮想音源位置ＰＬ１と見なしたときの、管状ダクト８Ｌ内を伝わり当該孔部８ＡＬから放射された低音がリスナの鼓膜１０３Ｌに到達するまでの経路長ＥＬ１とを比較すると、経路長ＥＭ＞経路長ＥＬ１となっている。
【００３２】
ここで、電気音響変換部２Ｌにより鼓膜１０３Ｌに到達する音の周波数特性を図８に示す。電気音響変換部２Ｌは、上述したようにバスレフ型スピーカの一種であるため、図７に示した場合と同様、スピーカユニット７Ｌから放射される、特性曲線ＳＭに示すような周波数特性でなる中高音と、管状ダクト８Ｌを伝わり孔部８ＡＬから放射される、特性曲線ＳＬ１に示すような周波数特性でなる低音とを合わせてリスナの鼓膜１０３Ｌまで到達させることになる。
【００３３】
ところで、一般に音源からの距離と音圧レベルとは反比例の関係にある。ここで電気音響変換部２Ｌ（図５）と電気音響変換部１２Ｌ（図６）との経路長を比較すると、経路長ＥＬ１＜経路長ＥＬ２の関係となる。すなわち電気音響変換部２Ｌ（図５）は、仮想音源位置ＰＬ１が電気音響変換部１２Ｌ（図６）の仮想音源位置ＰＬ２よりもリスナの外耳道入口１０２Ｌ近傍に位置しているため、管状ダクト８Ｌ内を伝わり孔部８ＡＬ（仮想音源位置ＰＬ１）から放射される低音を、電気音響変換部１２Ｌの場合よりも高い音圧レベルで鼓膜１０３Ｌまで到達させることができる。
【００３４】
すなわち図９に特性曲線を重ねて示すように、管状ダクト８Ｌによる低音の特性曲線ＳＬ１は、経路長ＥＬ１＜経路長ＥＬ２の関係により、管状ダクト１８Ｌ及び１９Ｌによる低音の特性曲線ＳＬ２と比較して全体的な音圧レベルが高くなる。
【００３５】
この結果、本発明による電気音響変換部２Ｌは、特性曲線ＳＭ及び特性曲線ＳＬ１が合成された特性曲線ＳＧ１に示すように、特性曲線ＳＭにおける低音域の音圧レベルが電気音響変換部１２Ｌの場合（特性曲線ＳＧ２）よりも上昇された、比較的低い周波数帯まで十分な音圧レベルの再生音をリスナに聴取させることができる。
【００３６】
ここで特性曲線ＳＧ１と特性曲線ＳＧ２とを比較すると、特性曲線ＳＧ２では低音域側へ進むに連れて比較的急峻に音圧レベルが低下しているのに対して、特性曲線ＳＧ１では低音域側へ進むに連れて音圧レベルの低下度合いが緩やかになっていることがわかる。
【００３７】
すなわち電気音響変換部２Ｌは、電気音響変換部１２Ｌと比較して、広い周波数帯域に渡って高い音圧レベルでなる、すなわち充分な低音域が含まれる良好な再生音をリスナの鼓膜１０３に伝達して聴取させることができる。
【００３８】
この場合、電気音響変換部２Ｌは、図４及び図５に示したように、リスナの外耳道入口１０２Ｌの近傍に管状ダクト８Ｌの後端側を位置させており、当該外耳道入口１０２Ｌを完全には閉塞しない。このため電気音響変換部２Ｌは、スピーカユニット７Ｌから出力する中高音及び管状ダクト８Ｌの孔部８ＡＬから放射する低音を合わせた再生音に加えて、リスナの周囲で発生した音（以下これを周囲音と呼ぶ）を遮断することなく当該リスナの鼓膜１０３Ｌまで到達させ聴取させることができる。
【００３９】
因みに電気音響変換部２Ｌは、筐体部４Ｌの内容積が１０［ｍｌ］、スピーカユニット７Ｌの外径が２１［ｍｍ］、当該スピーカユニット７Ｌの振動板における有効振動半径が８．５［ｍｍ］、振動系の等価質量が０．２［ｇ］、最低共振周波数ｆ０が３６０［Ｈｚ］、共振のＱ０が１．０となされている。
【００４０】
また管状ダクト８Ｌは、内径が１．８［ｍｍ］、当該管状ダクト８Ｌの筐体部４Ｌ内に位置する内部端８ＢＬから孔部８ＡＬまでの有効長が５０［ｍｍ］、バッフル板４ＡＬの表面から孔部８ＡＬまでの距離が約３５［ｍｍ］となされている。ここで管状ダクト８Ｌは、側面Ｕ字状に形成され後側先端部の中央に孔部８ＡＬが設けられているため、実質的に上半分及び下半分による２本のバスレフダクトを構成しており、当該管状ダクト８Ｌを１本の管状ダクトに換算した場合の内径（この場合は約２．５［ｍｍ］に相当する）が考慮された上で、その内径及び有効長が決定されている。
【００４１】
この電気音響変換部２Ｌ及び電気音響変換部１２Ｌについて、人間の耳介及び外耳道を模した測定用治具を用いて実際の周波数特性を測定したところ、図１０に示すような特性曲線ＳＧ１１（電気音響変換部２Ｌの場合）及び特性曲線ＳＧ１２（電気音響変換部１２Ｌの場合）が得られた。
【００４２】
この図１０では、図９に示した理論的な周波数特性と同様、およそ５００［Ｈｚ］以下の低音域において、電気音響変換部２Ｌの特性曲線ＳＧ１１が電気音響変換部１２Ｌの特性曲線ＳＧ１２よりも高い音圧レベルとなっている。すなわち、電気音響変換部２Ｌが実際にリスナに充分な低音を含む良好な再生音を聴取させ得ることが示されている。
【００４３】
このようにイヤースピーカ装置１は、リスナの頭部１００に装着された際、スピーカユニット７Ｌをリスナの外耳道入口１０２Ｌからやや離れた場所に位置させ再生音の中高音を放射すると共に、筐体部４Ｌから当該外耳道入口１０２Ｌの近傍まで延長されバスレフダクトとして作用する管状ダクト８Ｌの孔部８ＡＬから再生音の低音を放射することにより、自然な音像定位を与え充分な低音を含む良好な再生音を当該リスナに聴取させることができる。
【００４４】
（２）他の形状のダクトを有するイヤースピーカ装置の構成
（２−１）第２の実施の形態
ところで本発明によるイヤースピーカ装置１は、図１〜５に示したように、リスナの頭部１００に装着された際に管状ダクト８Ｌ及び８Ｒがそれぞれ外耳道入り口１０２Ｌ及び１０２Ｒ（図示せず）の直近まで延長されているが、この管状ダクト８Ｌ及び８Ｒに代えて他の種々の形状でなるダクトを有するようにしても良い。
【００４５】
例えば図１、図４及び図５と対応する図１１、図１２及び図１３に示すように、イヤースピーカ装置１と対応するイヤースピーカ装置２０は、電気音響変換部２Ｌ及び２Ｒに代えて電気音響変換部２２Ｌ及び２２Ｒを有している。
【００４６】
電気音響変換部２２Ｌ及び２２Ｒは、管状ダクト８Ｌ及び８Ｒに代えて管状ダクト２８Ｌ及び２８Ｒを有している。この管状ダクト２８Ｌ及び２８Ｒは、管状ダクト８Ｌ及び８Ｒと同様に中空の部材が側面略Ｕ字状に曲げられたような形状に形成されているものの、バッフル板４ＡＬ及び４ＡＲから突出する部分の長さが管状ダクト８Ｌ及び８Ｒよりも短くなるよう形成されており、後側先端部のほぼ中央にそれぞれ孔部２８ＡＬ及び２８ＡＲが設けられている。
【００４７】
このためイヤースピーカ装置２０は、リスナの頭部１００に装着された際、図１２及び図１３に示したように、管状ダクト２８Ｌ及び２８Ｒの孔部２８ＡＬ及び２８ＡＲが外耳道入口１０２Ｌ及び１０２Ｒ（図示せず）からやや離れることになる。
【００４８】
このためイヤースピーカ装置２０は、管状ダクト２８Ｌ及び２８Ｒをリスナの外耳等に触れさせずに済み、当該リスナに不快感を与える可能性を格段に低減することができる。
【００４９】
またイヤースピーカ装置２０の電気音響変換部２２Ｌは、経路長ＥＬ３（図１３）がイヤースピーカ装置１における経路長ＥＬ１（図５）よりも長くなっているものの、イヤースピーカ装置１と同様に経路長ＥＭ＞経路長ＥＬ３の関係を有している。
【００５０】
従って電気音響変換部２２Ｌは、電気音響変換部２Ｌと同様、管状ダクト２８Ｌ内を伝わり孔部２８ＡＬ（仮想音源位置ＰＬ３）から放射される低音を、電気音響変換部１２Ｌ（図６）の場合よりも高い音圧レベルで鼓膜１０３Ｌまで到達させることができる。
【００５１】
この場合、イヤースピーカ装置２０は、経路長ＥＬ３（図１３）＞経路長ＥＬ１（図５）であるために電気音響変換部２２Ｌから出力される低音の音圧レベルが電気音響変換部２Ｌから出力される低音の音圧レベルよりも低くなることを考慮し、管状ダクト２８Ｌ及び２８Ｒの全長や内径等が調整されていれば良い。
【００５２】
（２−２）第３の実施の形態
図１、図４及び図５とそれぞれ対応する図１４、図１５及び図１６に示すように、イヤースピーカ装置１と対応するイヤースピーカ装置３０は、電気音響変換部２Ｌ及び２Ｒに代えて電気音響変換部３２Ｌ及び３２Ｒを有している。
【００５３】
電気音響変換部３２Ｌ及び３２Ｒは、管状ダクト８Ｌ及び８Ｒに代えて管状ダクト３８Ｌ及び３８Ｒを有している。この管状ダクト３８Ｌ及び３８Ｒは、中空の管が直線状に形成されており、後側先端部が孔部３８ＡＬ及び３８ＡＲとなっている。
【００５４】
このためイヤースピーカ装置３０は、イヤースピーカ装置２０（図１２及び図１３）と同様、リスナの頭部１００に装着された際、図１５及び図１６に示したように、管状ダクト３８Ｌ及び３８Ｒの孔部３８ＡＬ及び３８ＡＲを外耳道入口１０２Ｌ及び１０２Ｒ（図示せず）からやや離すことになり、当該管状ダクト３８Ｌ及び３８Ｒをリスナの外耳等に触れさせずに済む。
【００５５】
またイヤースピーカ装置３０の電気音響変換部３２Ｌは、電気音響変換部２２Ｌと同様に経路長ＥＭ＞経路長ＥＬ４（図１６）の関係を有しており、管状ダクト３８Ｌ内を伝わり孔部３８ＡＬ（仮想音源位置ＰＬ４）から放射される低音を、電気音響変換部１２Ｌ（図６）の場合よりも高い音圧レベルで鼓膜１０３Ｌまで到達させることができる。
【００５６】
この場合、イヤースピーカ装置３０は、経路長ＥＬ４（図１３）＞経路長ＥＬ１（図５）であるために電気音響変換部３２Ｌから出力される低音の音圧レベルが電気音響変換部２Ｌから出力される低音の音圧レベルよりも低くなり、且つ管状ダクト８Ｌ及び８Ｒと管状ダクト３８Ｌ及び３８Ｒとの形状が大きく異なることを考慮し、当該管状ダクト３８Ｌ及び３８Ｒの全長や内径等が調整されていれば良い。
【００５７】
（２−３）第４の実施の形態
図１、図４及び図５とそれぞれ対応する図１７、図１８及び図１９に示すように、イヤースピーカ装置１と対応するイヤースピーカ装置４０は、電気音響変換部２Ｌ及び２Ｒに代えて電気音響変換部４２Ｌ及び４２Ｒを有している。
【００５８】
電気音響変換部４２Ｌ及び４２Ｒは、管状ダクト８Ｌ及び８Ｒに代えて管状ダクト４８Ｌ及び４８Ｒを有している。この管状ダクト４８Ｌ及び４８Ｒは、直方体が前後に貫通されたような形状を有し後側先端部が孔部４８ＡＬ及び４８ＡＲとなっており、また筐体部４Ｌ及び４Ｒと対応する筐体部４４Ｌ及び４４Ｒと一体に形成されている。
【００５９】
このためイヤースピーカ装置４０は、イヤースピーカ装置３０（図１５及び図１６）と同様、リスナの頭部１００に装着された際、図１８及び図１９に示したように、管状ダクト４８Ｌ及び４８Ｒの孔部４８ＡＬ及び４８ＡＲを外耳道入口１０２Ｌ及び１０２Ｒ（図示せず）からやや離すことになり、当該管状ダクト４８Ｌ及び４８Ｒをリスナの外耳等に触れさせずに済む。
【００６０】
またイヤースピーカ装置４０の電気音響変換部４２Ｌは、電気音響変換部３２Ｌと同様に経路長ＥＭ＞経路長ＥＬ５（図１９）の関係を有しており、管状ダクト４８Ｌ内を伝わり孔部４８ＡＬ（仮想音源位置ＰＬ５）から放射される低音を、電気音響変換部１２Ｌ（図６）の場合よりも高い音圧レベルで鼓膜１０３Ｌまで到達させることができる。
【００６１】
この場合、イヤースピーカ装置４０は、経路長ＥＬ５（図１３）＞経路長ＥＬ１（図５）であるために電気音響変換部４２Ｌから出力される低音の音圧レベルが電気音響変換部２Ｌから出力される低音の音圧レベルよりも低くなり、且つ管状ダクト８Ｌ及び８Ｒと管状ダクト４８Ｌ及び４８Ｒとの形状が大きく異なることを考慮し、当該管状ダクト４８Ｌ及び４８Ｒの全長や上下長等が調整されていれば良い。
【００６２】
（３）他の装着部を有するイヤースピーカ装置の構成
ところで、本発明によるイヤースピーカ装置１、２０、３０及び４０は、図１〜図４、図１１、図１２、図１４、図１５、図１７及び図１８に示したように、装着部としてのバンド部３により電気音響変換部２Ｌ及び２Ｒをリスナの頭部１００に装着するようになされているが、このバンド部３に代えて他の種々の装着部を用いることにより電気音響変換部２Ｌ及び２Ｒ、２２Ｌ及び２２Ｒ、３２Ｌ及び３２Ｒ、並びに４２Ｌ及び４２Ｒをリスナの頭部１００に装着するようにしても良い。
【００６３】
なお、以下では、第２の実施の形態におけるイヤースピーカ装置２０を例に、主に左側の電気音響変換部２２Ｌを例に説明するが、右側の電気音響変換部２２Ｒについては、当該左側の電気音響変換部２２Ｌと左右対称に構成されるものとする。
【００６４】
例えば図２０に示すイヤースピーカ装置１２０は、いわゆるイヤークリップ型に構成されており、イヤースピーカ装置２０（図１１〜図１３）におけるバンド部３に代えて、リスナの耳介１０１Ｌに掛けるためのイヤークリップ１２１Ｌが電気音響変換部２２Ｌの筐体部４Ｌに取り付けられている。
【００６５】
このイヤースピーカ装置１２０は、イヤークリップ１２１Ｌがリスナの耳介１０１Ｌに掛けられることにより電気音響変換部２２Ｌをリスナの頭部１００に装着することができ、イヤースピーカ装置２０と同様、自然な音像定位を与え充分な低音を含む良好な再生音を当該リスナに聴取させることができる。
【００６６】
また図２１に示すイヤースピーカ装置１３０は、いわゆるアンダーチン型に構成されており、イヤースピーカ装置２０（図１１〜図１３）におけるバンド部３に代えて、左右の電気音響変換部２２Ｌ及び２２Ｒを接続すると共にリスナの耳介１０１Ｌに掛けるためのバンド部１３１が筐体部４Ｌに取り付けられている。このバンド部１３１の中央部１３１Ａは、下に凸の略アーチ状に形成され、リスナの顎の下を左右に渡されることを前提としている。
【００６７】
このイヤースピーカ装置１３０は、バンド部１３１の耳掛部１３１ＢＬがリスナの耳介１０１Ｌに掛けられることにより電気音響変換部２２Ｌをリスナの頭部１００に装着することができ、イヤースピーカ装置２０と同様、自然な音像定位を与え充分な低音を含む良好な再生音を当該リスナに聴取させることができる。
【００６８】
さらに図２２に示すイヤースピーカ装置１４０は、いわゆるショルダーホールド型に構成されており、イヤースピーカ装置２０（図１１〜図１３）におけるバンド部３に代えて、左右の電気音響変換部２２Ｌ及び２２Ｒを接続すると共にリスナの肩部から支持するショルダーアーム１４１が筐体部４Ｌに取り付けられている。このショルダーアーム１４１の中央部１４１Ａは、後ろに凸の略アーチ状に形成され、リスナの首の後ろから肩の上部に掛けて左右に渡されることを前提としている。
【００６９】
このイヤースピーカ装置１４０は、リスナの両肩に渡って掛けられることにより電気音響変換部２２Ｌをリスナの頭部１００に装着することができ、イヤースピーカ装置２０と同様、自然な音像定位を与え充分な低音を含む良好な再生音を当該リスナに聴取させることができる。
【００７０】
さらに図２３に示すイヤースピーカ装置１５０は、いわゆるネックバンド型に構成されており、イヤースピーカ装置２０（図１１〜図１３）におけるバンド部３に代えて、左右の電気音響変換部２２Ｌ及び２２Ｒを接続すると共にリスナの耳介１０１Ｌに掛けるためのバンド部１５１が筐体部４Ｌに取り付けられている。このバンド部１５１の中央部１５１Ａは、後ろに凸の略アーチ状に形成され、リスナの後頭部の後ろに渡されることを前提としている。
【００７１】
このイヤースピーカ装置１５０は、バンド部１５１の耳掛部１５１ＢＬがリスナの耳介１０１Ｌに掛けられることにより電気音響変換部２２Ｌをリスナの頭部１００に装着することができ、イヤースピーカ装置２０と同様、自然な音像定位を与え充分な低音を含む良好な再生音を当該リスナに聴取させることができる。
【００７２】
さらに図２４に示すイヤースピーカ装置１６０は、図２３に示したイヤースピーカ装置１５０における電気音響変換部２２Ｌをリスナの耳介１０１よりも後方に位置させると共に、管状ダクト８Ｌに代えて管状ダクト１６８Ｌがリスナの耳介１０１Ｌの後方に位置する筐体部４Ｌから外耳道入口１０２Ｌの近くまで延長されている。また左右の電気音響変換部２２Ｌ及び２２Ｒは、リスナの首の後ろに渡されるバンド部１６１により接続されている。
【００７３】
このイヤースピーカ装置１６０は、管状ダクト１６８Ｌがリスナの耳介１０１Ｌに掛けられることにより電気音響変換部２２Ｌをリスナの頭部１００に装着することができ、イヤースピーカ装置２０と同様、自然な音像定位を与え充分な低音を含む良好な再生音を当該リスナに聴取させることができる。
【００７４】
さらに図２５に示すイヤースピーカ装置１７０は、電気音響変換部２２Ｌに加えて、上述した電気音響変換部１２Ｌ（図６）と同様の構成でなる後方電気音響変換部１７２Ｌを有しており、イヤースピーカ装置２０（図１１〜図１３）におけるバンド部３に代わるバンド部１７１により、電気音響変換部２２Ｌを耳介１０１Ｌの前方に位置させると共に、後方電気音響変換部１７２Ｌを当該耳介１０１Ｌの後方に位置させるようになされている。
【００７５】
因みに、後方電気音響変換部１７２Ｌには、４チャンネルや５．１チャンネル等のマルチチャンネル音源におけるリアチャンネル用の音声信号が供給されるようになされている。
【００７６】
このイヤースピーカ装置１７０は、リスナの頭部１００に装着されることにより、電気音響変換部２２Ｌ及び後方電気音響変換部１７２Ｌを当該リスナの頭部１００に装着することができ、自然な音像定位を与えるサラウンド音でなり充分な低音を含む良好な再生音を当該リスナに聴取させることができる。
【００７７】
またこの場合、イヤースピーカ装置１７０のバンド部１７１に加振器１７５を取り付け、例えば５．１チャンネル音源における重低音成分に応じた振動をリスナの頭部１００に加えるようにしても良い。
【００７８】
なおイヤースピーカ装置１７０は、電気音響変換部２２Ｌから管状ダクト２８Ｌをリスナの外耳道入口１０２Ｌの方へ向ける以外にも、イヤースピーカ装置１６０（図２４）と同様、後方用電気音響変換部１７２Ｌから管状ダクトをリスナの外耳道入口１０２Ｌの方へ向けるようにし、或いは電気音響変換部２２Ｌ及び後方用電気音響変換部１７２Ｌの両方から管状ダクトをリスナの外耳道入口１０２Ｌへ向けて延長するようにしても良い。
【００７９】
このように本発明では、イヤースピーカ装置２０のバンド部３（図１１〜図１３）以外にも、イヤースピーカ装置１２０〜１７０のような種々の方式でなる装着部により、電気音響変換部２２Ｌ及び２２Ｒをリスナの頭部１００に対して装着させるようにしても良い。
【００８０】
（４）動作及び効果
以上の構成において、イヤースピーカ装置１は、リスナの頭部１００に装着されることにより、電気音響変換部２Ｌの筐体部４Ｌに設けられたスピーカユニット７Ｌを当該リスナの外耳道入口１０２Ｌよりもやや前方に位置させると共に、当該筐体部４Ｌから後方に延長されバスレフダクトとして作用する管状ダクト８Ｌの後側における先端部分を外耳道入口１０２Ｌの近傍に位置させた状態で、所定のアンプから供給される音声信号に基づいた再生音を出力する。
【００８１】
このときイヤースピーカ装置１の電気音響変換部２Ｌ（図５）は、スピーカユニット７Ｌから放射される中高音がリスナの鼓膜１０３Ｌに到達するまでの経路長ＥＭよりも、管状ダクト８Ｌの孔部８ＡＬから放射される低音が当該鼓膜１０３Ｌに到達するまでの経路長ＥＬ１を短くすることになるため、特性曲線ＳＭ（図７）に示したような中高音に対して、特性曲線ＳＬ１に示したように比較的音圧レベルが高い低音を当該鼓膜１０３Ｌに到達させることができる。
【００８２】
従ってイヤースピーカ装置１の電気音響変換部２Ｌは、スピーカユニット７Ｌから放射された中高音を当該リスナの頬や耳介１０１Ｌ等で反射させて鼓膜１０３Ｌに到達させることができるので、一般的なスピーカを介して再生音を聴取する場合と似た特性の再生音を当該リスナに聴取させることができ、音像が頭外に位置しているような自然な定位感を与えることができる。
【００８３】
さらにイヤースピーカ装置１の電気音響変換部２Ｌは、管状ダクト８Ｌがリスナの外耳道入口１０２Ｌ近傍まで延長されていることにより、特性曲線ＳＧ１（図９）及び特性曲線ＳＧ１１（図１０）に示したような、比較的低音域まで充分な音圧レベルでなる良好な再生音をリスナに聴取させることができる。
【００８４】
この場合、イヤースピーカ装置１の電気音響変換部２Ｌは、管状ダクト８Ｌがリスナの外耳道入口１０２Ｌ近傍まで延長されているため、一般的なバスレフ型の電気音響変換部２Ｌ（図６）において管状ダクト１８Ｌ及び１９Ｌから出力される特性曲線ＳＬ２（図７）のような低音と比較して、特性曲線ＳＬ１（図７）のような音圧レベルが大きい低音をリスナの鼓膜１０３Ｌに到達させることができ、スピーカユニット７Ｌの口径が比較的小さく外耳道入口１０２Ｌからやや離れていることにより不足しがちな低音を、十分な音圧レベルでリスナに聴取させることができる。
【００８５】
さらにイヤースピーカ装置１は、低音の再生音量を上げるのではなく、低音の放射口を鼓膜１０３Ｌに近づけることによりリスナの鼓膜１０３Ｌ（図５）に充分な低音を到達させているため、例えば大口径のスピーカやサブウーファー等を用いて低音を再生するような場合と比較して、周囲に漏れる低音や振動をほぼ皆無とすることができる。従って、例えばリスナが深夜にイヤースピーカ装置１を介して再生音を聴取する場合等に、近隣や周囲への迷惑を殆ど気にすることなく、充分な低音が含まれる良好な再生音を堪能することができる。
【００８６】
また、イヤースピーカ装置２０、３０及び４０は、イヤースピーカ装置１と比較して、管状ダクト２８Ｌ、２８Ｒ、３８Ｌ及び３８Ｒ並びに４８Ｌ及び４８Ｒのバッフル板４ＡＬ及び４ＡＲ並びに４４ＡＬ及び４４ＡＲから突出する長さを短くしリスナの耳介等に殆ど接触しないようにしたことにより、当該リスナに不快感を与える可能性を格段に低減することができる。
【００８７】
このイヤースピーカ装置２０、３０及び４０は、管状ダクト２８Ｌ、２８Ｒ、３８Ｌ及び３８Ｒ並びに４８Ｌ及び４８Ｒにより、スピーカユニット７Ｌ及び７Ｒよりも外耳道入口１０２Ｌに近い位置から低音を放音することができるので、イヤースピーカ装置１と同様に、十分な低音を含む良好な音声をリスナに聴取させることができる。
【００８８】
さらに管状ダクト８Ｌ、２８Ｌ、３８Ｌ及び４８Ｌは、リスナの外耳道入口１０２Ｌを塞がないため、再生音と共に、当該リスナの周囲で発生した周囲音を遮断することなく鼓膜１０３Ｌに到達させ聴取させることができる。
【００８９】
これにより、イヤースピーカ装置１、２０、３０及び４０は、リスナが歩行するときやスポーツを行うときなど、リスナが周囲の音も聴取する必要がある場合にも、良好な再生音に加えて周囲音を聴取させることができる。
【００９０】
またイヤースピーカ装置１、２０、３０及び４０は、リスナの耳介１０１Ｌ等を覆うことがないため、一般的なヘッドホンを装着したリスナが感じるような閉塞感や蒸れといった不快感を与えることがない。さらに密閉空間を形成しないため、密閉型ヘッドホンを使用した場合に生じ得る、外耳道における共振周波数の変化を生じることもなく、リスナに違和感を与えることもない。
【００９１】
そのうえイヤースピーカ装置１、２０、３０及び４０は、低音の放射口を鼓膜１０３Ｌに近づけることによりリスナに十分な音量レベルの低音を聴取させ得るため、スピーカユニット７Ｌの口径を不必要に大きくする必要が無く、筐体部４の大きさを必要最小限に止めることができる。これにより、イヤースピーカ装置１全体の大きさや重量を必要最小限に抑えることができるので、リスナがイヤースピーカ装置１を装着した際の大きさや重さによる煩わしさを極力抑えることができる。
【００９２】
以上の構成によれば、イヤースピーカ装置２０は、リスナの頭部１００に装着された際、電気音響変換部２２Ｌのスピーカユニット７Ｌを当該リスナの外耳道入口１０２Ｌよりもやや前方に位置させると共に管状ダクト２８Ｌが外耳道入口１０２Ｌへ向けて延長された状態で再生音を出力することにより、バスレフダクトとして作用する管状ダクト２８Ｌの孔部２８ＡＬから放射する低音を十分な音圧レベルで鼓膜１０３に伝達することができるので、自然な音像定位を与え比較的低音域まで充分な音圧レベルでなる良好な再生音をリスナに聴取させることができる。
【００９３】
（５）他の実施の形態
なお上述した第１及び第２の実施の形態においては、管状ダクト８Ｌ及び２８Ｌが側面略Ｕ字状に形成され２本のバスレフダクトとして機能するようにした場合について述べたが、本発明はこれに限らず、第３の実施の形態のように１本の管状ダクト３８Ｌや３本以上の管状ダクト、或いは第４の実施の形態のように角形のダクト４８Ｌ等、種々の本数及び形状でなるダクトによりバスレフダクトを構成するようにしても良い。
【００９４】
また、管状ダクトは金属等の固い材料で形成されていても良く、或いは可撓性を有する樹脂等の柔らかい材料で形成されていても良い。この場合、当該管状ダクト８Ｌの材料の違いを考慮した上で内径や経路長が設計されていれば良い。さらに管状ダクトの後側先端部には、リスナの外耳道入口１０２Ｌを傷つけないためのスポンジ等でなる保護部が取り付けられていても良い。
【００９５】
さらに上述した実施の形態においては、管状ダクト８Ｌが筐体部４Ｌのバッフル板４ＡＬを貫通するようにした場合について述べたが、本発明はこれに限らず、当該管状ダクト８Ｌが当該筐体４Ｌにおける他の側面を貫通するようにしても良い。
【００９６】
さらに上述した実施の形態においては、イヤースピーカ装置１がリスナの頭部１００（図４）に装着された際、スピーカユニット７Ｌの放音面がほぼ後方向を向くようにした場合について述べたが、本発明はこれに限らず、例えばスピーカユニット７Ｌの放音面がやや内側を向くようにしても良く、要は当該スピーカユニット７Ｌの放音面がおおよそ外耳道入口１０２Ｌの方向に向き、放射する中高音が効率良く鼓膜１０３Ｌへ到達されれば良い。
【００９７】
さらに上述した第２〜第４の実施の形態においては、管状ダクト２８Ｌ、３８Ｌ及び４８Ｌの孔部２８ＡＬ、３８ＡＬ及び４８ＡＬがほぼ外耳道入口１０２Ｌの方向を向くように設けられている場合について述べたが、本発明はこれに限らず、当該孔部がそれぞれ外耳道入口１０２Ｌ以外の方向を向くようも受けられていても良い。
【００９８】
例えば図１４との対応部分に同一符号を付した図２６に示すように、イヤースピーカ装置２００は、イヤースピーカ装置１の電気音響変換部２Ｌ及び２Ｒに代えて電気音響変換部２０２Ｌ及び２０２Ｒを有している。この電気音響変換部２０２Ｌ及び２０２Ｒでは、管状ダクト２０８Ｌ及び２０８Ｒの後端部分が外方へ曲げられており、孔部２０８ＡＬ及び２０８ＡＲが外側へ向くようになされている。
【００９９】
このためイヤースピーカ装置２００は、管状ダクト２０８Ｌから放射される音を、外耳道入口１０２Ｌと異なる方向へ放射させることができる。ここで、一般的な音の性質として、中高音は比較的指向性が強いものの、低音は比較的指向性が弱いことが知られている。
【０１００】
かかる音の指向性を利用することにより、イヤースピーカ装置２００は、管状ダクト２０８Ｌを介して外耳道入口１０２Ｌへ伝達されてしまう中高音を弱めることができると共に、低音をあまり減衰させることなく外耳道入口１０２Ｌへ伝達することができ、音のバランスを崩すことなくリスナに聴取させることができる。
【０１０１】
さらに上述した第１の実施の形態においては、イヤースピーカ装置１が左右の電気音響変換部２Ｌ及び２Ｒを有し、２チャンネルの再生音を出力するようにした場合について述べたが、本発明はこれに限らず、例えば左側の電気音響変換部２Ｌのみを有し１チャンネルの再生音を出力するようにしても良い。
【０１０２】
さらに上述した第１の実施の形態においては、筐体部４に中高音用のスピーカユニット７Ｌを設けるようにした場合について述べたが、本発明はこれに限らず、例えば中音用及び高音用といった２つのスピーカユニットを１つの筐体部４に設けて２ウェイスピーカとするなど、複数のスピーカユニットを筐体部４に設けるようにしても良い。
【０１０３】
さらに上述した実施の形態においては、球体を垂直方向に４等分したような形状でなる筐体部４を用いるようにした場合について述べたが、本発明はこれに限らず、例えば立方体状や円柱状等の種々の形状であっても良く、要はバスレフ型スピーカのエンクロージャとして機能し得るようなほぼ密閉された空間を内部に有していれば良い。
【０１０４】
さらに上述した実施の形態においては、筐体部としての筐体部４Ｌ及び４Ｒと、スピーカユニットとしてのスピーカユニット７Ｌ及び７Ｒと、管状ダクトとしての管状ダクト２８Ｌ及び２８Ｒとによって電気音響変換器としての電気音響変換部２２Ｌ及び２２Ｒを構成する場合について述べたが、本発明はこれに限らず、その他種々の構成でなる筐体部と、スピーカユニットと、管状ダクトとによって電気音響変換器を構成するようにしても良い。
【０１０５】
さらに上述した実施の形態においては、筐体部としての筐体部４Ｌ及び４Ｒと、スピーカユニットとしてのスピーカユニット７Ｌ及び７Ｒと、管状ダクトとしての管状ダクト２８Ｌ及び２８Ｒと、電気音響変換器としての電気音響変換部２２Ｌ及び２２Ｒと、装着部としてのバンド部３とによってイヤースピーカ装置としてのイヤースピーカ装置２０を構成する場合について述べたが、本発明はこれに限らず、その他種々の構成でなる筐体部と、スピーカユニットと、管状ダクトと、電気音響変換器と、装着部とによってイヤースピーカ装置を構成するようにしても良い。
【産業上の利用可能性】
【０１０６】
本発明は、バスレフ型のスピーカ以外にも、バックロードホーン型等の種々のダクトを有するスピーカ装置をリスナの頭部に装着させる種々のイヤースピーカ装置でも利用できる。
【図面の簡単な説明】
【０１０７】
【図１】イヤースピーカ装置の全体構成（１）を示す略線的斜視図である。
【図２】イヤースピーカ装置の全体構成（２）を示す略線的後面図である。
【図３】イヤースピーカ装置の全体構成（３）を示す略線的前面図である。
【図４】イヤースピーカ装置の装着状態（１）を示す略線的側面図である。
【図５】イヤースピーカ装置の装着状態（２）を示す略線的上断面図である。
【図６】一般的なバスレフ型のイヤースピーカ装置を示す略線的上断面図である。
【図７】従来のバスレフ型スピーカにおける周波数特性を示す略線図である。
【図８】本発明によるイヤースピーカ装置の周波数特性を示す略線図である。
【図９】理論的な周波数特性を示す略線図である。
【図１０】実測による周波数特性を示す略線図である。
【図１１】第２の実施の形態によるイヤースピーカ装置の全体構成を示す略線的斜視図である。
【図１２】第２の実施の形態によるイヤースピーカ装置の装着状態（１）を示す略線的側面図である。
【図１３】第２の実施の形態によるイヤースピーカ装置の装着状態（２）を示す略線的上断面図である。
【図１４】第３の実施の形態によるイヤースピーカ装置の全体構成を示す略線的斜視図である。
【図１５】第３の実施の形態によるイヤースピーカ装置の装着状態（１）を示す略線的側面図である。
【図１６】第３の実施の形態によるイヤースピーカ装置の装着状態（２）を示す略線的上断面図である。
【図１７】第４の実施の形態によるイヤースピーカ装置の全体構成を示す略線的斜視図である。
【図１８】第４の実施の形態によるイヤースピーカ装置の装着状態（１）を示す略線的側面図である。
【図１９】第４の実施の形態によるイヤースピーカ装置の装着状態（２）を示す略線的上断面図である。
【図２０】イヤースピーカ装置の構成及び装着の例（１）を示す略線的側面図である。
【図２１】イヤースピーカ装置の構成及び装着の例（２）を示す略線的側面図である。
【図２２】イヤースピーカ装置の構成及び装着の例（３）を示す略線的側面図である。
【図２３】イヤースピーカ装置の構成及び装着の例（４）を示す略線的側面図である。
【図２４】イヤースピーカ装置の構成及び装着の例（５）を示す略線的側面図である。
【図２５】イヤースピーカ装置の構成及び装着の例（６）を示す略線的側面図である。
【図２６】他の実施の形態による管状ダクトの構成を示す略線的斜視図である。
【符号の説明】
【０１０８】
１、２０、３０、４０、１２０、１３０、１４０、１５０、１６０、１７０、２００……イヤースピーカ装置、２Ｌ、２Ｒ、２２Ｌ、２２Ｒ、３２Ｌ、３２Ｒ、４２Ｌ、４２Ｒ、１７２Ｌ、……電気音響変換部、３……バンド部、４Ｌ、４Ｒ、４４Ｌ、４４Ｒ……筐体部、７Ｌ、７Ｒ……スピーカユニット、８Ｌ、８Ｒ、２８Ｌ、２８Ｒ、３８Ｌ、３８Ｒ……管状ダクト、８ＡＬ、８ＡＲ、２８ＡＬ、２８ＡＲ、３８ＡＬ、３８ＡＲ、４８ＡＬ、４８ＡＲ……孔部、４８Ｌ、４８Ｒ……ダクト、１００……頭部、１０１Ｌ……耳介、１０２Ｌ……外耳道入口、１０３Ｌ……鼓膜。
【図１】
0004826457.tif 000002
【図２】
0004826457.tif 000003
【図３】
0004826457.tif 000004
【図４】
0004826457.tif 000005
【図５】
0004826457.tif 000006
【図６】
0004826457.tif 000007
【図７】
0004826457.tif 000008
【図８】
0004826457.tif 000009
【図９】
0004826457.tif 000010
【図１０】
0004826457.tif 000011
【図１１】
0004826457.tif 000012
【図１２】
0004826457.tif 000013
【図１３】
0004826457.tif 000014
【図１４】
0004826457.tif 000015
【図１５】
0004826457.tif 000016
【図１６】
0004826457.tif 000017
【図１７】
0004826457.tif 000018
【図１８】
0004826457.tif 000019
【図１９】
0004826457.tif 000020
【図２０】
0004826457.tif 000021
【図２１】
0004826457.tif 000022
【図２２】
0004826457.tif 000023
【図２３】
0004826457.tif 000024
【図２４】
0004826457.tif 000025
【図２５】
0004826457.tif 000026
【図２６】
0004826457.tif 000027